(57)【特許請求の範囲】
【請求項１】
物品を収納した袋をクリップで挟んで嵌合させて該袋の開口部をシールした状態のまま運搬することができるクリップ用保持具であって、該クリップ用保持具はベルト状または棒状の連結部、および該連結部の両端に繋がる一対の締付け部からなり、該締付け部は、長さ方向に対して垂直方向に複数の溝を形成したラチェット部を有するプラスチック製のベルトであって、該ベルトの一端は該ベルト自身が挿通する挿通部を有しており、該挿通部を通ったベルトは保持対象となるクリップを締付けるループを形成して前記連結部に繋がり、該挿通部は前記ラチェット部と噛み合うことで該ループが弛緩しないための爪機構を有していることを特徴とするクリップ用保持具。
【発明の詳細な説明】
【技術分野】
【０００１】  本発明は、物品を収納する紙袋やプラスチックフィルム袋およびこれらの開口部をシールするクリップの全体を保持または運搬するクリップ用保持具であり、各種の物品、特に浄水、汚水およびその他の液状物及び紛体等を保存または運搬するのに適した用具である。
【背景技術】
【０００２】  従来から、食品等が入ったプラスチックフィルム袋の開口部をシールするクリップが市販されており、簡便に使用できるため家庭用、業務用ともに広く普及している。このクリップは、図８に示す様に、棒状で断面がＵ字状の溝が形成されている支持部材１３の端に、該Ｕ字状の溝に嵌合する嵌合部材１２が回動自在に取り付けられており、プラスチックフィルム袋のシール時には、プラスチックフィルム袋の開口部付近を嵌合部材１２と支持部材１３で上下から挟んで、嵌合部材１２と支持部材１３を嵌合させる。嵌合部材１２と支持部材１３はポリプロピレン等のプラスチックで形成されているので、その弾力性と摩擦力を利用してプラスチックフィルム袋の上下の膜を密着させることによりシール状態を保つ様になっている。
【発明の概要】
【発明が解決しようとする課題】
【０００３】  すなわち、従来のクリップは特にシール状態をロックする機構を持たず、単にプラスチックの弾力性と摩擦力を利用しているだけで、シールの信頼性があまり期待できなかった。したがって、従来は物品を収納した袋をクリップした状態で運搬することは想定されていなかった。また、係合爪により嵌合部材と支持部材とをロックする機構を持つクリップも一部で商品化されてはいるが、強度的に脆弱で、これをあえて持ち運ぶ場合には、ユーザはクリップ自身かクリップの対象物である袋を掴まなければならず、特に袋内の収納物が液体である場合には非常に持ちづらいと言う問題があった。【０００４】  本発明の目的は、上記の問題を解決するために創意工夫されたものであって、本発明の目的は、紙袋やプラスチックフィルム袋をシールするクリップのシール状態を確実にロックすると同時に、ユーザが携帯するのに便利なクリップの持ち手や吊下用のフックを与えることにより、収納物を確実に運搬、保持することができるクリップ用保持具を提供することにある。
【課題を解決するための手段】
【０００５】  本発明に係るクリップ用保持具はベルト状または棒状の連結部、および該連結部の両端に繋がる一対の締付け部からなり、該締付け部は、長さ方向に対して垂直方向に複数の溝を形成したラチェット部を有するプラスチック製のベルトであって、該ベルトの一端は該ベルト自身が挿通して保持対象となるクリップを締めるループをなすための挿通部を有し、該挿通部は前記ラチェット部と噛み合うことで該ループが弛緩しないための爪機構を有していることを特徴としている。
【発明の効果】
【０００６】  本発明に係るクリップ用保持具を、物品を収納した袋をシールしているクリップに用いることよって、クリップのシール状態は確実にロックされ、同時に連結部は携帯に便利な持ち手にもなるので、従来では困難であった、物品、特に浄水、汚水その他の液状物および紛体物を紙袋やプラスチックフィルム袋に入れて持ち運ぶことができる様になる。
また、連結部に吊下用フックを形成した場合は、適当な吊下用棒あるいは突起に吊り下げることによってコンパクトな形態で物品を収納することができる。
本発明に係るクリップ用保持具によって、スーパー等で使用しているビニール袋等を多方面で再利用することができる。
本発明に係るクリップ用保持具、クリップおよびプラスチックフィルム袋はいずれも畳めば小型で軽量であり、緊急災害時に利用できるほか、旅行等で携帯するのにも適している。【０００７】  なお、本発明に係るクリップ用保持具は、特に図９に示す特開２０１２−１９２９８２号公報に記載されている３次元的なクリップと組み合わせることにより、より効果を発揮できるものである。該クリップは嵌合部材１２が圧力で変形して第１の支持部材１３から外れることを、第２の支持部材１４が防止するので、堅牢性が高く長尺のクリップを製作できることが特徴である。
【図面の簡単な説明】
【０００８】
【図１】本発明に係るクリップ用保持具の一実施例の平面図である。
【図２】本発明に係るクリップ用保持具を使用する状態を説明する斜視図である。
【図３】本発明に係るクリップ用保持具に吊下用フックを形成した場合を説明する斜視図である。
【図４】従来の結束バンドをクリップ用保持具の締付け部として使用した場合の側面図である。
【図５Ａ】本発明に係る締付け部の一実施例の側面図である。
【図５Ｂ】本発明に係る締付け部の別の実施例の側面図である。
【図６】圧接面の一実施例の斜視図である。
【図７】従来の結束バンドの一例を説明する斜視図である。
【図８】本発明を使用するクリップの一例を説明する斜視図である。
【図９】本発明を使用する三次元的なクリップの一例を説明する斜視図である。
【発明を実施するための形態】
【０００９】  図１、図２は本発明の実施例の一つを示している。図１はクリップに装着する前のクリップ用保持具１の状態であり、図２はクリップ用保持具１を、物品を収納した袋１１の開口部をシールしているクリップ９に装着した状態を示している。本実施例に係るクリップ用保持具１では、連結部２が軟質プラスチックで形成され、締付け部３と連続的に一体的になったものを示しているが、連結部２は布、皮、紙等のベルト状の材料で製作して締付け部３と何らかの方法で結合させてもよい。また、保持、運搬するクリップ９が長尺の場合には、硬質プラスチック、木や金属などで製作して変形の少ない棒状のものにしてもよい。連結部２の左右には一対の締付け部３がつながっているが、該締付け部３は図２に示す様にクリップ９の両端に近くで物品を収納した袋１１がない部分を締め付けるためのものである。物品を収納する袋１１の開口部の間口はクリップ９の長さより長くても、折りたたんでクリップ９で挟むことができる。
【００１０】  なお、図２においては、左右の締付け部３はバランスをとるために、クリップ９に対して点対称的に配置させているが、特にこの配置にこだわる必要はない。図３は連結部２のほぼ中央に衣類用ハンガーの様な吊下用フック７を形成した場合を示したものである。この吊下用フック７を利用すれば、クリップ９および物品を収納した袋１１を適当な吊下用棒あるいは突起に吊り下げることができるのでコンパクトな収納が可能になる。なお、吊下用フック７は別に製作し、例えば熱融着または接着によって連結部２に形成することができる。
【００１１】  締付け部３は、電線等を束ねるために市販されている図７の結束バンドと似た軟質プラスチック製のベルトになっており、その長さ方向に対して垂直方向に複数の溝を形成したラチェット部４と該ベルト自身が挿通してクリップ９の外側を締め付けるループを形成する挿通部５を有している。さらに、挿通部５にはラチェット部４と係合して該ループが弛緩しないための爪機構を有しているが、この機構は図７に示す一般の結束バンドと同様であるため、ここでは詳細な説明は省く。なお、図１と図２の実施例では、一旦締めたループを再び緩めるための弛緩ノブ６を持っているが、用途によっては図７の結束バンドの様に安定性を重視して再使用できないタイプにすることもできる。
【００１２】  図４、図５Ａおよび図５Ｂは、締付け部３のベルトでクリップ９を締め付けた場合を説明する側面図であるが、図４に示す様に、ベルトの厚さが一様であると、軟質プラスチックにも剛性があることによって、ベルトを強く引き絞っても、ベルトがクリップ９と接触するのはクリップの外側４点だけである。このため、締付け部３がクリップ９に対してその長さ方向にずれたり、長さ方向を軸にして回転したりするおそれがあるので、本実施例では締付け部３のベルトの厚さを図５Ａに示す様に変えることによってクリップ９と密着する圧接面８を形成している。図５Ｂは圧接面８を複数形成した場合を示している。ベルトの厚さを変えるのには、はじめから樹脂モールドで形成するか、この部分を後から熱融着で付加することによる。
【００１３】  また、圧接面８はクリップ９の相対する側面の横幅よりやや短くすることにより、クリップ９の大きさがある程度異なっていても対応できる様になっている。さらに図６に示す様に、圧接面８の表面にベルトの長さ方向に対して平行な複数の溝１０を形成しておくとより滑りにくくなる効果がある。溝１０によってほぼ滑りは防止できるが、クリップ用保持具１をより安定的にクリップ９に固定するには、クリップの側面に溝１０に対応する複数の溝を形成しておけばよい。そのためには専用のクリップ９を作製してもよいが、複数の溝が形成されたシートを貼ることでもよい。
【００１４】  図２の実施例の場合は、締付け部３をクリップ９の長さ方向に垂直に取り付けてあるので、クリップ用保持具１を吊り下げたときに、挿通部５のラチェット部４にはベルトの長さ方向以外に横方向の力が加わることになる。これは挿通部５の爪機構にとっては好ましくないが、これに対処するためには挿通部５をやや長くして補強するか、圧接面８を形成するベルトの厚さを幅方向にも変化させてテーパーを付けることにより、締付け部３がクリップ９の長さ方向に対して垂直でなく、やや傾いた状態にして取り付ければよい。
【００１５】  上記に説明した締付け部３は、連結部２と切り離しても、それ自体がクリップを締め付けて保持する機能があるので、クリップ用締付け具として単独の用具として製作することも可能である。
【符号の説明】
【００１６】１  クリップ用保持具
２  連結部
３  締付け部
４  ラチェット部
５  挿通部
６  弛緩ノブ
７  吊下用フック
８  圧接面
９  クリップ
１０  溝
１１  物品を収納した袋
１２  嵌合部材
１３  支持部材
１４  第２の支持部材
【図１】
0005907491.tif 000002
【図２】
0005907491.tif 000003
【図３】
0005907491.tif 000004
【図４】
0005907491.tif 000005
【図５Ａ】
0005907491.tif 000006
【図５Ｂ】
0005907491.tif 000007
【図６】
0005907491.tif 000008
【図７】
0005907491.tif 000009
【図８】
0005907491.tif 000010
【図９】
0005907491.tif 000011